【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
回収カラムの操作方法であって、前記回収カラムに供給されるアクリロニトリルとアセトニトリルの混合物からアクリロニトリルが分離されて、アクリロニトリルと０．０５質量％以下のアセトニトリルを含むオーバーヘッド流が生成されるものであり、その方法が約100 ℃〜約105 ℃の温度を回収カラムへの供給原料流の導入の前に回収カラム中の制御トレーに与えることを含み、制御トレーが回収カラムのミドルセクションに配置され且つ回収カラムのミドルセクションが回収カラム中の全トレー数の２５〜４０％を含むことを特徴とする前記方法。
【請求項２】
約100 ℃以下の温度を回収カラムへの供給原料流の導入の前に回収カラムのトップセクションに与えることを更に含む、請求項１記載の方法。
【請求項３】
回収カラムのトップセクションが回収カラムへの供給原料流の導入の前に約70℃〜約90℃である、請求項２記載の方法。
【請求項４】
供給原料流が有機物を含む、請求項１記載の方法。
【請求項５】
有機物がアクリロニトリル、メタクリロニトリル、アセトニトリル及びこれらの混合物からなる群から選ばれた有機物を含む、請求項４記載の方法。
【請求項６】
回収カラム温度制御が一つ以上のリボイラー及び一つ以上の熱交換機により与えられる、請求項１記載の方法。
【請求項７】
アクリロニトリルとアセトニトリルの混合物を回収カラムに与えることを更に含む、請求項１記載の方法。
【請求項８】
アクリロニトリルとアセトニトリルの混合物を回収カラムのミドルセクションに与える、請求項７記載の方法。
【請求項９】
水性溶媒を回収カラムのトップセクションに与える、請求項７記載の方法。
【請求項１０】
回収カラムの操作方法であって、前記回収カラムに供給されるアクリロニトリルとアセトニトリルの混合物からアクリロニトリルが分離されて、アクリロニトリルと０．０５質量％以下のアセトニトリルを含むオーバーヘッド流が生成されるものであり、その方法が約100 ℃以下の温度を回収カラムへの供給原料流の導入の前に回収カラムのトップセクション中に与えることを含み、回収カラムのトップセクションが回収カラム中の全トレー数の２５〜４０％を含むことを特徴とする前記方法。
【請求項１１】
回収カラムのトップセクションが回収カラムへの供給原料流の導入の前に約70℃〜約90℃である、請求項１０記載の方法。
【請求項１２】
供給原料流が有機物を含む、請求項１０記載の方法。
【請求項１３】
有機物がアクリロニトリル、メタクリロニトリル、アセトニトリル及びこれらの混合物からなる群から選ばれた有機物を含む、請求項１２記載の方法。
【請求項１４】
回収カラム温度制御が一つ以上のリボイラー及び一つ以上の熱交換機により与えられる、請求項１０記載の方法。
【請求項１５】
アクリロニトリルとアセトニトリルの混合物を回収カラムのミドルセクションに与え、回収カラムのミドルセクションが回収カラム中の全トレー数の２５〜４０％を含む、請求項１０記載の方法。
【請求項１６】
水性溶媒を回収カラムのトップセクションに与える、請求項１０記載の方法。
【手続補正２】
【補正対象書類名】明細書
【補正対象項目名】００１５
【補正方法】変更
【補正の内容】
【００１５】
示された温度を与えた後に、その方法はアクリロニトリルとアセトニトリルの混合物を回収カラムに与え、アクリロニトリルとアセトニトリルの混合物を水性溶媒と接触させてアクリロニトリル−水共沸混合物を得、アクリロニトリル−水共沸混合物をアセトニトリルから分離してアクリロニトリル−水共沸混合物及び約0.05質量％以下のアセトニトリルを含むオーバーヘッド流を得ることを含む。その方法は約０質量％〜約0.0075質量％のアセトニトリルを含む底流、及び約５質量％〜約70質量％のアセトニトリルを含む側流を与える。
別の局面において、回収カラムの操作方法は回収カラムへの供給原料流の導入の前に約100 ℃以下の温度を回収カラムの上部分に与えることを含む。この局面において、回収カラムの上部分が回収カラムへの供給原料流の導入の前に約70℃〜約90℃である。
示された温度を与えた後に、その方法はアクリロニトリルとアセトニトリルの混合物を回収カラムに与え、アクリロニトリルとアセトニトリルの混合物を水性溶媒と接触させてアクリロニトリル−水共沸混合物を得、アクリロニトリル−水共沸混合物をアセトニトリルから分離してアクリロニトリル−水共沸混合物及び約0.05質量％以下のアセトニトリルを含むオーバーヘッド流を得ることを含む。その方法は約０質量％〜約0.0075質量％のアセトニトリルを含む底流、及び約５質量％〜約70質量％のアセトニトリルを含む側流を与える。
本明細書に開示された発明が特別な実施態様、例及びこれらの適用により記載されたが、多くの変更及び変化が特許請求の範囲に示される発明の範囲から逸脱しないで当業者によりなし得る。
なお、本発明としては、以下の態様も好ましい。
〔１〕
回収カラムの操作方法であって、その方法が約80℃〜約105 ℃の温度を回収カラム中の制御トレーに与えることを含み、その回収カラム中のHCN の量が200 ppm 以下であることを特徴とする前記方法。
〔２〕
制御トレーが回収カラムの中間部分中に配置される、〔１〕記載の方法。
〔３〕
制御トレーにおけるHCN の量が200 ppm 以下である、〔１〕記載の方法。
〔４〕
回収カラム中の制御トレーにおける温度が約100 ℃〜約105 ℃である、〔１〕記載の方法。
〔５〕
約100 ℃以下の温度を回収カラムの上部分中に与えることを更に含む、〔１〕記載の方法。
〔６〕
回収カラムの上部分が先に約70℃〜約90℃である、〔５〕記載の方法。
〔７〕
回収カラムの操作方法であって、その方法が約100 ℃〜約105 ℃の温度を回収カラムへの供給原料流の導入の前に回収カラム中の制御トレーに与えることを特徴とする前記方法。
〔８〕
制御トレーが回収カラムの中間部分中に配置される、〔７〕記載の方法。
〔９〕
約100 ℃以下の温度を回収カラムへの供給原料流の導入の前に回収カラムの上部分に与えることを更に含む、〔７〕記載の方法。
〔１０〕
回収カラムの上部分が回収カラムへの供給原料流の導入の前に約70℃〜約90℃である、〔９〕記載の方法。
〔１１〕
供給原料流が有機物を含む、〔７〕記載の方法。
〔１２〕
有機物がアクリロニトリル、メタクリロニトリル、アセトニトリル及びこれらの混合物からなる群から選ばれた有機物を含む、〔１１〕記載の方法。
〔１３〕
回収カラム温度制御が一つ以上のリボイラー及び一つ以上の熱交換機により与えられる、〔７〕記載の方法。
〔１４〕
アクリロニトリルとアセトニトリルの混合物を回収カラムに与えることを更に含む、〔７〕記載の方法。
〔１５〕
アクリロニトリルとアセトニトリルの混合物を回収カラムの中間部分に与える、〔１４〕記載の方法。
〔１６〕
水性溶媒を回収カラムの上部分に与える、〔１４〕記載の方法。
〔１７〕
回収カラムの操作方法であって、その方法が約100 ℃以下の温度を回収カラムへの供給原料流の導入の前に回収カラムの上部分中に与えることを特徴とする前記方法。
〔１８〕  回収カラムの上部分が回収カラムへの供給原料流の導入の前に約70℃〜約90℃である、〔１７〕記載の方法。
〔１９〕
供給原料流が有機物を含む、〔１７〕記載の方法。
〔２０〕
有機物がアクリロニトリル、メタクリロニトリル、アセトニトリル及びこれらの混合物からなる群から選ばれた有機物を含む、〔１９〕記載の方法。
〔２１〕
回収カラム温度制御が一つ以上のリボイラー及び一つ以上の熱交換機により与えられる、〔１７〕記載の方法。
〔２２〕
アクリロニトリルとアセトニトリルの混合物を回収カラムに与えることを更に含む、〔１７〕記載の方法。
〔２３〕
アクリロニトリルとアセトニトリルの混合物を回収カラムの中間部分に与える、〔２２〕記載の方法。
〔２４〕
水性溶媒を回収カラムの上部分に与える、〔１７〕記載の方法。